Podtech/llm-jp-corpus-v4-ja_patent huggingface dataset:
(57)【要約】      （修正有）【課題】信号灯の形をモチーフにし造られたカバンで、通行人が歩行時に注意を引くことができ交通安全保護表示の役割をする。【解決手段】本発明は、リュックの真ん中の部分縦一列に信号灯のデザインと両側下の部分に交通標識デザインを施した。夜間に（暗い場所で）左したに付いてるボタン操作によってピカピカと信号の色と同じ三色に光る（ＬＥＤ点滅照明）ようにデザインされた。通行人の目を引きつけ、子供達の交通事故防止に対する警戒心及び安全性を考慮して造られた。【選択図】図１
2008136823.tif 000002
【特許請求の範囲】
【請求項１】
１．カバンに光る信号灯をデザイン。
（イ）ポケット機能。
（ロ）暗い場所（夜間など）で照明装置により点滅する。
（人への警戒心と安全性を兼ね備えたデザインとして考えだされた。）
【発明の詳細な説明】
【技術分野】
【０００１】  本発明は、リュックの正面部分に信号灯の形を施し、暗い場所で（夜間に）点滅照明されることで、着用者の交通安全防止を考慮されたものである。
【背景技術】
【０００２】  一般的に子供のカバンは黄色を使ったり、収納と持ちやすさを重視したものが多い。
【発明の開示】
【発明が解決しようとする課題】
【０００３】  従来の子供のカバン（リュック）は、黄色を使って人の注意を引き安全を確保することが一般的である。よりデザイン的で、警戒心を高める形状にした。
【課題を解決するための手段】
【０００４】    本発明は、リュックの真ん中の部分縦一列に信号灯のデザインを施し，夜間にその部分がバッテリーを使った簡単な操作によってピカピカと信号の色（赤、黄、緑）と同じ三色に光る（ＬＥＤ点滅照明）。また左側面（赤）、右側面（緑）と両側の下の部分にもライトが点滅するようになっている。通行人の目を引き、子供達に交通事故防止に対する警戒心及び安全性を考慮したカバンである。
【発明の効果】
【０００５】    信号灯の形をしたかわいらしいでデザインで、ポケット機能を果たす。この部分が夜間には点滅照明に変わり信号色の３色でピカピカと光る。両側も赤と緑色で点滅照明する。通行人の注意を引くことができ、安全面もより強化できる。
【発明を実施するための最良の形態】
【０００６】    図面を参照して本発明の実施の形態を説明する。
リュックは通常のように両肩にかける。照明のバッテリーは、カバンの中の底部分に四角でできたバッテリーケースがあり、ＡＡバッテリーを３つ装着し、電源をオンにする。夜になって（もしくは暗い場所で）肩にかかる紐の左下部分に付いたボタンを押すとピカピカと点滅照明する。
【図面の簡単な説明】
【０００７】
【図１】斜めからみたデザイン
【図２】背面図のデザイン
【図３】参考図（信号灯の部分）
【符号の説明】
【０００８】  １．（図１）カバンの正面に交通標識と信号灯がデザインされた。
２．（図２上）左紐の下の部分に照明スイッチボタン。
３．（図３下）信号灯。
【図１】
2008136823.tif 000003
【図２】
2008136823.tif 000004
【図３】
2008136823.tif 000005
(57)【要約】      （修正有）【課題】靴洗いの手間と靴を洗濯機で洗えない不便さを解消するため、洗濯機で洗え、洗っても靴が傷まず、靴を早く乾燥させるため脱水もできるようにする器具。【解決手段】丈夫で軽く弾力性のある本体１に伸縮性のある靴の入れ口２から片方ずつ靴を入れて使用。網目状で水や洗剤が行き渡りやすく、球形なので洗濯時バランスが取れて脱水もできるようになるので靴の乾きも数段早くなる。中間の仕切りでそれぞれ区切られているので、本体の中で靴がまざりあうことはない。【選択図】図１
2008136824.tif 000002
【特許請求の範囲】
【請求項１】
洗剤や水がまんべんなく行き渡りやすく、脱水もできる網目状で、靴や洗濯機に衝撃を与えにくい球形。本体中に靴を入れて使用する。
【発明の詳細な説明】
【技術分野】
【０００１】本発明は、靴洗いの手間と洗濯機で靴を洗うのは困難という問題を解決するため、靴を傷めず手軽に洗濯機で洗えるようにするものである。
【背景技術】
【０００２】従来は、靴は手で洗うしかなく、ムリに洗濯機で洗うと靴が傷んだり、洗濯時、靴のバランスが取りにくいせいかガタゴト音がうるさかったりした。
【特許文献１】
【０００３】
【発明の開示】
【発明が解決しようとする課題】
【０００４】靴はとても汚れやすいが、洗うのは手間と時間がかかる。乾燥するのにもかなりの時間が必要である。ゆえに、毎度洗うのを怠ってしまいやすく、汚れたままにしてしまいがちになる。
【課題を解決するための手段】
【０００５】中に靴をはめ込み使用。靴と洗濯機に衝撃を与えにくい球形で、バランスもとりやすいので脱水できやすい。また、すみずみまで水と洗剤が行き渡る様に網目状なっている。中に靴をはめ込み使用。洗濯機で靴が容易に洗え、傷みにくい。
【発明の効果】
【０００６】洗濯機で容易に洗えることで、靴を洗う回数が増え、清潔。脱水もできるようになるので乾く時間も早くなる。子供を多く持つ親御さんはかなり楽になる。
【実施例１】
【０００７】
【図面の簡単な説明】
【０００８】
【図１】本発明の正面図である。
【図２】本発明の断面図である。
【図３】本発明を上から見た図である。
【図４】上から見た図の断面図である。
【符号の説明】
【０００９】１  本体
２  靴入れ口
３  靴入れ口
４  しきり
【図１】
2008136824.tif 000003
【図２】
2008136824.tif 000004
【図３】
2008136824.tif 000005
【図４】
2008136824.tif 000006
(57)【要約】      （修正有）【課題】外出時の花粉・埃、流行性悪性インフルエンザ等、飛沫感染・空気中の浮遊飛沫核感染を防ぐ当てガーゼ及びマスクにおいて、使用時に息苦しくなく、顔が火照らず、眼鏡もくもらない当てガーゼ及びマスクを提供する。【解決手段】鼻と口の間に通気性ある枕状円筒形の枕３を十二・三枚重ねの厚いガ−ゼの中央に縫合し、更に、枕状円筒形の枕に気密性の高い布・ビニ−ル（形状は巾の広い舌型）の弁幕４を縫合固定し、口辺を覆い、熱と呼気を口から下方へと放出するもので呼気と熱が鼻腔へ上昇しないための、鼻・口唇部に弁幕を付加した当てガ−ゼ及びマスク。【選択図】図２
2008136826.tif 000002
【特許請求の範囲】
【請求項１】
マスク本体と併用する当てガ−ゼにおいて  （イ）マスク（図１−１）  （ロ）強化芯入り当てガ−ゼ（以後当てガ−ゼと記載・図１−２）  （ハ）不織布・ガ−ゼ・スポンジにて鼻と口の鼻唇溝を中心に空気通しのよいガ−ゼ他、型崩れしない上記素材を用い、最大直径２ｃｍ、幅１０ｃｍ＋−１ｃｍ（枕状）の円筒形枕（図１−３・図２−３・図３−３）  （ニ）同じ幅１０ｃｍ下唇部までを４ｃｍ弱（形状としては巾広い舌状に）の気密性の高い素材による弁幕（図１−４・図２−４・図３−４）を鼻・口唇部に当てる円筒形枕に横一文字に縫合・接着（図１−５星マ−ク）を各々縫合・接着仕様とした鼻・口唇部に弁幕を付加した当てガ−ゼ及びマスク。応用範囲としては（予備ガ−ゼで調節をすることで）一部手持ちのマスクにも当てガ−ゼが対応可能であり、衛生的には繰り返し洗って使える。
【発明の詳細な説明】
【技術分野】
【０００１】    本発明は外出時の花粉・埃、流行性悪性インフルエンザ等、飛沫感染・空気中の浮遊飛沫核感染を防ぐ当てガ−ゼ及びマスクに関する。
【背景技術】
【０００２】    高度な完全マスク等は別として、外出時、従来のマスク着用に際しては、息苦しさ、顔が火照る、眼鏡がくもるといった難点があった。余りにも当てガ−ゼが薄すぎるもの等は空気の通りがよく使い心地はいいが、微細な物は通過し吸引する恐れも有る。
【発明の開示】
【発明が解決しようとする課題】
【０００３】    腹式呼吸法はスポ−ツする時にするくらいで、屋内での呼吸法を風邪等の流行時、外出の際もつい無意識のうちに鼻口両方で息を吸ったり吐いたりしている。最近の新聞等による情報では、咽喉や気管・食道にウイルス・細菌等が進入、粘膜に付着或は、潜り込み短時間に変異・増殖したりするという、決して遠い国のことではない憂うべき事態に危機感をもつ人も多く、予防注射、外出時にマスクを着用するしかない現状であるが、そのマスクでさえ、着用時に、息苦しい・顔が火照る・眼鏡がくもる等着用しない向きもある。【０００４】    又、漢方では人体の四つの排泄物と云われる汗・大・小便・呼吸の特に呼気を汚れたものとして重視するとしていて、実に、酸素を大気中から取り入れ体内を一巡し、二酸化炭素として汚れた空気を吐き出す、その、吐き出した空気（呼気）と（熱）をマスク内に吐き、その熱い二酸化炭素混じりの呼気の一部を再びマスク内で吸い込むのは衛生的とは言えない。
【課題を解決するための手段】    上記、課題を解決する手段として、手近で、正しく着用すればこの上ない感染症からの自衛策になるもので、本件の構成として、マスク（図１−１）強化芯入り当てガ−ゼ（以後当てガ−ゼと記載・図１−２）不織布・ガ−ゼ・スポンジにて鼻と口の鼻唇溝を中心に空気通しのよいガ−ゼ又は、型崩れしない上記素材を用い、最大直径２ｃｍ、幅１０ｃｍ（＋−）１ｃｍ（枕状）の円筒形枕（図１−３）に、同じ幅１０ｃｍ下唇部までを（形状としては巾広い舌状に）気密性の高い素材による弁幕（図１−４）を鼻口唇部に当てる円筒形枕に横一文字に縫合又は接着、当てガ−ゼのほぼ中央に此れも縫合接着固定の仕様とした（予備ガ−ゼでマスク内の間隙を調節することで）ほとんどのタイプのマスクにも対応を可能に、繰り返し洗って使える鼻口唇部に弁幕を付加した当てガ−ゼ及びマスク。
【発明の効果】
【０００６】    空気中には、いろいろな有害・無害のウイルスや細菌・埃・花粉等が浮遊している。このようなものの中には、感染症で命に拘わるものもあり、又、外出時には自らが風邪気味の場合には、他人へ移さない為にもマスク着用は必須で、本発明の一番の効果として挙げるなら、顔も火照らず、息苦しく無く、眼鏡もくもらないこと。
【発明を実施するための最良の形態】
【０００７】    顔型の個人差にも柔軟に対応するよう、清潔な本件当てガ−ゼでマスク内に間隙を作らぬようワイヤ−ブリッジが鼻梁を押え、鼻口に当てる円筒形枕にもワイヤ−ブリッジを内臓した当てガ−ゼ本体と（予備ガ−ゼ）を携帯することにより何時でも、ほとんどのタイプのマスクにも対応を可能とする。
【実施例】
【０００８】    使い捨てマスクも衛生面では、良いことではあるが、資源の浪費を考えると少なくとも二・三回位は繰り返し洗って使用することを又、本件、当てガ−ゼは数回もっと何回でも繰り返し洗濯にも耐える強さを有する
【図面の簡単な説明】
【０００９】
【図１】本件発明の概略図
【図２】本件の当てガ−ゼ側面図
【図３】従来のマスクにも本件当てガ−ゼに、ずれ落ち防止の予備ガ−ゼで調節可能とした実施態様を示す図
【符号の説明】
【００１０】  １    マスク
２    当てガ−ゼ
３    鼻口唇部に当てるマウスブリッジ入り円筒形枕
４    当てガ−ゼ鼻口唇部に気密性の高い素材で弁幕を縫合又は接着
５    星マ−クは当てガ−ゼのガ−ゼと円筒形枕・円筒形枕と上部位置弁幕・円筒形枕と下部位置弁幕の各縫合部又は接着部
６    予備ガ−ゼ
【図１】
2008136826.tif 000003
【図２】
2008136826.tif 000004
【図３】
2008136826.tif 000005
(57)【要約】      （修正有）【課題】船が航行する水面との落差を利用してタンクから水を後方へ流出させて推進する従来の方法において、推進タンクが満水になるまで流出を抑制し、タンクが満水になったら自動的に流出する機能を実現する。【解決手段】タンク底部には、タンク中の水を船体後方へ流すためのパイプを取り付け、その出口部分を、船体が浮かんでいる水面より低い位置に船体の後方へ向けて設置する。さらに、このパイプの中間部分の高さはタンクが満水時の水位よりは低い位置となるように配置する。そして、タンク内の水面が、船体が浮かんでいる水面より高い位置になるようにタンクを船体に取り付ける。タンクが空の状態からタンクへ水を注ぐと、タンク水位がパイプ中間部分の高さを上回るまで、水は流出しない。タンクが満水になって水位がパイプ中間部分を越えたとき、タンク内の水はパイプを通って自動的に船外へ流出し始め、タンクが空になるまで流出が継続する。【選択図】図１
2008136816.tif 000002
【特許請求の範囲】
【請求項１】
水に浮かぶための船体と、水をためるタンクと、タンク中の水を船体後方へ流すためのパイプから構成されることを特徴とする船。
【請求項２】
請求項１の船において、船体が浮かんでいる水面とタンクにためた水の水面との落差を利用して、タンク内の水をパイプを通して船体後方へ流すことによって推進することを特徴とする船の推進方法。
【請求項３】
請求項２のパイプの中間部分が、パイプの入口部分および出口部分より高い位置を経由するが、その高さはタンクが満水時の水位の高さよりは低くなるように配置することを特徴とする配管方法。
【発明の詳細な説明】
【技術分野】
【０００１】本発明は、水に浮かぶ玩具や遊具の船を推進させる方法の技術に関する。
【背景技術】
【０００２】おもちゃや遊具の船の動力として、本発明の請求項１および２のみから構成され、タンクの水面と船が航行する水面との落差を利用して推進する方法がある。（例えば、実用新案文献１−３参照）
【実用新案文献１】
実開昭５１−０２１９９３
【実用新案文献２】
実開昭６１−１９１０９５
【実用新案文献３】
実開昭６２−１６４０９９これらの方法は、構造が単純かつ安全で廃棄物を出すことが無く、推進するためのエネルギーの補給も容易で安価に行えるなど優れた特徴を有する。さらに航行中でも船を止めることなく推進エネルギーを補充できるという、他の推進方法では見られない利点もある。しかし、参考文献に挙げた落差を利用した従来方法では、推進エネルギーを補給するためにタンクへ水を注ぐと、すぐに水が流れ出して船が進んでしまうため、特に小さな子供が上記の操作を行う場合、タンクが満杯になるまで水を注ぐことが困難だった。
【発明の開示】
【発明が解決しようとする課題】
【０００３】落差を利用した従来の推進方法の利点を損なうことなく、タンクが空になった場合の給水時にはタンクが満水になるまで流出を抑制し、タンクが満水になったら自動的にタンクから流出させる機能を実現する。
【課題を解決するための手段】
【０００４】水に浮かぶための船体上部に、水をためるタンクを取付ける。タンク底部には、中の水を船体後方へ流すためのパイプを取り付ける。このパイプの出口部分を、船体が浮かんでいる水面より低い位置に、船体の後方へ向けて設置する。さらに、このパイプの中間部分が、パイプの入口部分および出口部分より高い位置を経由するが、その高さはタンクが満水時の水位よりは低い位置となるように配置する。タンクが空の状態からタンクへ水を注ぐと、タンク水位がパイプ中間部分の高さを上回るまで、水は流出しない。タンクが満水になって水位がパイプ中間部分を越えたとき、タンク内の水はパイプを通って自動的に船外へ流出し始める。これが船体後方へと流れることによって船体は反作用を受けて推進する。一旦パイプに水が通って流出が始まると、サイフォンの原理によって、タンクが空になるまで流出が継続する。【０００５】タンク内の水が空になったら、別の容器等を用いてタンクへ水を汲むことによって再び推進するためのエネルギーを補充するが、このときタンクの水面がパイプ中間部分の高さより高くなるまでは水は流出しない。
【発明の効果】
【０００６】本発明により、タンクが空になった状態においてタンクへ水を注ぐとき、タンク内の水位がパイプ中間部分の高さ以上になるまで、推進するための水の流出を止め、タンクがほぼ満水になったら自動的に流出を開始する効果が得られる。【０００７】タンク内が空になる前にタンクに水を補充すれば、航行中でも船を止めることなく推進エネルギーを補充することも可能である。【０００８】本発明は船体とタンクとパイプだけという極めて単純な構成であるため、製造コストは安価であり、故障しにくいためメンテナンスのコストもかからない。【０００９】本発明の動力は、廃棄物を全く出さないため、環境を汚染する心配がなく、安全であるため小さな子供でも安心して遊ばせることができる。
【実施例】
【００１０】本発明の一実施例を、図面を参照して説明する。図１および図２において、符号１は船体を構成する浮体である。その船体上部には符号２で示されるタンクが取り付けられている。符号２のタンク上部には推進するための水を補充するための口があけられている。タンク底部には、タンク内の水を船体後方へ流すための符号３で示されるパイプが取り付けられている。符号３のパイプの出口部分を、符号１の船体が浮かんでいる水面より低い位置に、船体の後方へ向けて設置する。さらに、符号３のパイプの中間部分が、パイプの入口部分および出口部分より高い位置を経由するが、その高さはタンクが満水時の水位よりは少し低い位置となるように配置される。符号２のタンクに水を注いで、タンク水位が符号３のパイプ中間部分の高さを上回ると、符号２のタンク内の水はパイプを通って船外へ流れ出し、その反作用を受けて符号１の船体が推進する。一旦符号３のパイプに水が通って流出が始まると、サイフォンの原理によって、符号２のタンクが空になるまで流出が継続する。【００１１】符号２のタンク上部に開いている口へ水を注ぐことにより、推進するためのエネルギーを補充する。【００１２】図３の実施例では、符号３のパイプ中間部分の高さが高い箇所を、符号２のタンクの外に設置した場合を示している。
【図面の簡単な説明】
【図１】図１は本発明の一実施例を示す全体図を三面図で示したものである。
【図２】図２は図１上面図のＡ−Ａ’間の断面図を表す。
【図３】図３は符号３のパイプの配管方法のみを変えた実施例である。
【符号の説明】
符号１…船体、符号２…タンク、符号３…パイプ。
【図１】
2008136816.tif 000003
【図２】
2008136816.tif 000004
【図３】
2008136816.tif 000005
(57)【要約】      （修正有）【課題】旅客機に搭乗中、離着陸時の急激な気圧変化により生起する乳幼児の耳痛を解消するため母親などが乳幼児を抱いたまま片手で操作が可能な、口腔内圧力調整器具を提供する。【解決手段】口腔内圧力調整器具は、筐体１、空気圧を加えると膨張し、圧力を開放すると平らに復元する伸縮性材料の円形膜２、手で掴むと凹み掴む力を弱める元に復元する弾性体材料の半球体３から構成され、離陸時の大気圧の急激な減少又は着陸時の大気圧の急激な増加によって耳痛が生起した時、口腔内圧力調整器具を使用し、口腔内から空気を緩やかに吸い出し又は口腔内に空気を緩やかに吹き込むことにより、口腔内圧力と外気圧とを平衡させて、耳痛を解消する。【選択図】図１
2008136814.tif 000002
【特許請求の範囲】
【請求項１】
筐体下端部が鼻孔及び口を覆い且つ皮膚に密着する形状である筐体の上端面部と、手で上方向から掴むと凹み掴む力を弱めると元の形状に復元する弾性体である半球体の内円周下端部の間に、半球体から筐体を経由して口腔内への空気の移動及び口腔内から筐体を経由して半球体への空気の移動を間接的で緩やかなものにするために、伸縮性を有する円形膜を配置する口腔内圧力調整器具。
【請求項２】
飛行中の気圧変化に伴う半球体の破損を防止するための開閉機構を有する安全栓を、半球体の側面に具備する請求項１記載の口腔内圧力調整器具。
【発明の詳細な説明】
【技術分野】
【０００１】本発明は、旅客機に搭乗中離着陸時の急激な気圧変化により生起する耳痛に自ら対応できない乳幼児に使用し、口腔内の圧力を緩やかに減少又は増加させ、外気圧と口腔内圧力とを平衡させることで耳痛を解消する、口腔内圧力調整器具に関する。
【背景技術】
【０００２】超高層ビルで使用されているエレベータには、急激な気圧変化に対応するための気圧調整装置が設置されているが、旅客機には装備していない。【０００３】急激な気圧変化による耳痛が生起した場合、大人は唾液を飲み込んだり、欠伸をしたり或いは鼻を摘んで頬を膨らませるなどして、自ら耳痛を解消することができる。しかしながら、乳幼児の場合、対処方法が分からずに母親などに抱かれた状態で、耳痛のために号泣し続けることになる。
【発明の開示】
【発明が解決しようとする課題】
【０００４】旅客機に搭乗中、離着陸時の急激な気圧変化に自ら対応できない乳幼児の耳痛を解消するため、乳幼児を抱いたまま片手で操作が可能で、乳幼児の口腔内の圧力を緩やかに増加又は減少させる口腔内圧力調整器具を提供する。
【課題を解決するための手段】
【０００５】本発明は、着陸時の大気圧の急激な増加により耳痛が生起した時は、口腔内に空気を緩やかに吹き込むことによって、口腔内の圧力を緩やかに増加させ耳痛を解消するものである。また、離陸時の大気圧の急激な減少により耳痛が生起した時は、口腔内の空気を緩やかに吸い出すことによって、口腔内の圧力を緩やかに減少させ耳痛を解消するものである。
【発明の効果】
【０００６】以上のように本発明は、離着陸時のシートベルト着用中であって、キャビンアテンダント及び母親などが着席したままの状態におかれその行動が制限されるなかで、乳幼児を片手で抱いたままもう片方の手で使用し、急激な気圧変化によって生起する乳幼児の耳痛を解消し、乳幼児の号泣を止めさせるとともに、他の乗客への不快感を解消するものである。
【発明を実施するための最良の形態】
【０００７】口腔内圧力調整器具の筐体は、透明で安全性の高い材料を使用し、その下端部の形状は乳幼児の皮膚に密着しかつ肌に優しい滑らかさを有する。【０００８】口腔内圧力調整器具の円形膜は、その外周縁部を固定して空気圧を加えると、球面状に膨張し、また圧力を開放すると平らに復元する、安全性の高い伸縮性のある材料を使用する。【０００９】口腔内圧力調整器具の半球体は、手で掴むと凹み掴む力を弱める元に復元する、安全性の高い弾性体である材料を使用する。【００１０】口腔内圧力調整器具の安全栓は、使用前に閉じるものとし、使用しないときは開放する。【００１１】筐体、円形膜及び半球体は、空気が漏れないように、使用する材料の特性に応じた最適の結合及び接着方法で組み立てる。
【実施例】
【００１１】着陸時に大気圧が増加し耳痛が生起した場合、筐体の下端部が鼻孔及び口を覆い且つ皮膚に密着するように装着した後、半球体を手で上方向から掴んで凹ませることで、円形膜を球面状に膨張させる。すると膨張した円形膜で囲まれた空気と同量の筐体内の空気が、口腔内に緩やかに吹き込まれる。その結果、口腔内圧力が外気圧と平衡することになり耳痛が解消される。【００１２】離陸時に大気圧が減少し耳痛が生起した場合、半球体を手で上方向から掴んで凹ませて円形膜を球面状に膨張させた状態で、筐体の下端部が鼻孔及び口を覆い且つ皮膚に密着するように装着する。次いで半球体を掴む力を弱めると、膨張した半球膜は平らな状態に、半球体は元の形状に復元し、膨張した円形膜で囲まれた空気と同量の空気が、口腔内から筐体内に緩やかに吸い出される。その結果、口腔内圧力が外気圧と平衡することになり耳痛が解消される。
【図面の簡単な説明】
【００１３】
【図１】本発明の口腔内圧力調整器具の全体図
【図２】本発明の口腔内圧力調整器具の縦断面図
【符号の説明】
【００１４】１・・・筐体
２・・・円形膜
３・・・半球体
４・・・安全栓
【図１】
2008136814.tif 000003
【図２】
2008136814.tif 000004
(57)【要約】      （修正有）【課題】パット距離強度が異なっても一定の範囲の内にボールを停止させられるようにパタークラブの振幅の度合と力を入れる加減を練習できる装置を提供する。【解決手段】本体と刷毛取り付け板３からなり、刷毛取り付け板は自由に回転する。６ヶ所の刷毛アダプター５を有しカートリッジ刷毛は取り付け取り外しがワンタッチでできる。パット距離強度の正確性を確かめられるよう専用スティンプメータでパット距離強度の異なるパット練習がより実測に近くパット練習をすることができる。【選択図】図１
2008136813.tif 000002
【特許請求の範囲】
【請求項１】
パット距離強度を異にしても制限ある場所の範囲内でパット練習ができるように一定の距離範囲にボールを停止させるよう、図８の材質、長さ、密度、太さ、硬さ、柔軟性の強弱の異なる刷毛でボールの直進力を吸収するよう発明したゴルフパット練習機。
【請求項２】
図９は上記請求項１が適正なものかを計る専用スティンプメータ。
【発明の詳細な説明】
【技術分野】
【０００１】  本発明は、ゴルフパット距離強度を異にしても制限のある場所の範囲内でおよそ予測のパット練習ができるゴルフ練習機に関する。
【背景技術】
【０００２】  従来のゴルフパット練習機の多くは練習距離に制限があり３メートル程度のものと思われる。
【発明の開示】
【発明が解決しようとす課題】
【０００３】  ゴルフ競技のショットでパットはボールをグリーンの上を転がしホールインさせるものである。
【０００４】  ゴルフ技術でパットは唯一空中を飛球させないショットである。
【０００５】  ホールカップに直接落下しホールインした場合以外は、限りなくホールカップの近くに停止させることを目的として行う行為がゴルフパット技術である。
【０００６】  ゴルフパットはホールカップまでのおよそ予測距離に対して、パタークラブの振幅の度合と力を入れる加減である
【０００７】  パット練習に適した場所以外でのパット練習には制限のあるパット練習機等での練習を余儀なくされる。
【０００８】  従来のゴルフパット練習機の多くは練習距離に制限があり３メートル程度のものと思われる。
【０００９】  およそ予測距離のパット練習を行ってもパット距離の目安となる計がなければ相対性をもったものとはいえない。
【００１０】  ゴルフ競技の特性として競技するゴルフ場の地理の変化や管理状態でグリーンスピードは異なり、あらゆる条件を想定してパット練習をしておく必要がある。
【課題を解決するための手段】
【００１１】  ある強度でパットされたボールはその強度に応じて自然に停止するまで転がり続ける。
【００１２】  本発明はおよそ予測のパット距離強度でパット練習したボールがパタークラブの振幅の度合と力を入れる加減が適合したときに図１の接地面の図８を越えたボールがきめられた範囲内に停止させるように発明した。
【発明の効果】
【００１３】  上述のように本発明のゴルフパット練習機はパット距離強度が異なっても一定の範囲の内にボールを停止させられるようにパタークラブの振幅の度合と力を入れる加減を練習できる。
【発明の実施するための最良の形態】
【００１４】  本機で例えば３メートルの予測パット距離を練習する場合３メートル用図８を選び図７に差し込み図４を回転させ接地面に設定する。１０メートルの予測距離の場合であれば同じく１０メートル用図８を選び図７に差し込み図４を回転させ接地面に設定する。
【００１５】  図４は６ヶ所の図８を取付けられる。
【００１６】  図４に固定した図６は接地面と図８の間隔を微調整することができる。
【００１７】  図８を無制限に取り替えることができるならパット距離強度のパット練習もより正確になりゴルフ技術の習熟度で組合せられる。
【００１８】  図９はゴルフボールがグリーンの平らな場所でどれだけ転がるかの目安となる目盛がある。
【００１９】  接地面にあり、使用中又は使用しようとする図８がおよそ予測距離に適応しているか図９の適切な目盛より転がして計測できる。以上のように制限のある場所の範囲内でゴルフパット練習ができるようにしたものである。
【図面の簡単な説明】
【００２０】
【図１】本考案のパット練習機の組立て正面図。
【図２】本考案のパット練習機の組立て反対図。
【図３】本パット練習機の本体図及び合体拡大図。
【図４】本パット練習機カートリッジ刷毛取り付け回転盤。
【図５】本パット練習機カートリッジ刷毛取り付け金具固定部拡大図。
【図６】本パット練習機カートリッジ刷毛取り付け金具接続及び調整ネジ金具。
【図７】本パット練習機カートリッジ刷毛取り付け金具。
【図８】本パット練習機カートリッジ刷毛。
【図９】専用スティンプメータ組立図。
【図１０】専用スティンプメータ目盛付き開口筒図。
【図１１】専用スティンプメータ目盛付き開口筒図
【符号の説明】
【００２１】１  回転盤取り付け脚
２  回転盤取り付け脚
３  回転盤
３ａ  カートリッジ刷毛取り付け金具側
３ｂ  本体脚穴差し込み心棒側
４  カートリッジ刷
５  カートリッジ刷毛取り付け金具
６  回転盤ストッパー板バネ
７  回転盤ストッパー構
８  カートリッジ刷毛取り付け金具固定部
９  カートリッジ刷毛取り付けアダプター
１０  専用スティンプメータ
１１  専用スティンプメータ筒
【図１】
2008136813.tif 000003
【図２】
2008136813.tif 000004
【図９】
2008136813.tif 000005
【図３】
2008136813.tif 000006
【図５】
2008136813.tif 000007
【図６】
2008136813.tif 000008
【図７】
2008136813.tif 000009
【図８】
2008136813.tif 000010
【図４】
2008136813.tif 000011
【図１０】
2008136813.tif 000012
【図１１】
2008136813.tif 000013
(57)【要約】      （修正有）【課題】遺伝子を保存し長生きさせ、子孫がその存在を忘れえないようにすることである。【解決手段】その課題を解決する為に、本発明では、人形作り用の材料と、遺物を用いて人形を作ると言う手段を用いた。その場合、必要なら人形をそっくりさんにして、御霊屋のようなものなどに保存する。【選択図】なし【特許請求の範囲】
【請求項１】
人形を作る時に、その材料と遺物とを用いて作ることを特徴とする人形の製造方法。
【請求項２】
他者に人形を作らせ、それを用いて、その材料と遺物を用いて人形を仕上げていくやり方を特徴とする人形の製造方法。
【発明の詳細な説明】
【技術分野】
【０００１】  本発明は、人形作り用の材料と遺物とを用いて作った人形に関するものである。【０００２】  そして、本発明は、その人形をそっくりさんにすることによって、更により良いものにすることができるものである。【０００３】  本発明に用いる遺物には、髪の毛とか、爪とか、骨とか、灰とかがあり、本人のものと、愛人のものとの両方を用いて作る方法も本発明にはあるわけである。【０００４】  髪の毛などは、本発明の人形の髪の部分をつくる時に用いてもいい。【０００５】  人形の形については自由であり、それ故、本発明の人形を、男女和合の形にすることもできるものとする。【０００６】  本発明では、人形の厚みを縮めて、絵に近いものにするこもできることとする。【０００７】  本発明では、塗料に遺物を混ぜて、人形に塗る方法で完成させる方法も含むものとする。
【背景技術】
【０００８】  従来は、骨壷に遺物の骨又は灰を入れて保存するのが普通のやり方であったが、それに対して、遺物と、人形作り用の材料とを用いて人形を作り、それを保存しようと言うのが本発明である。
【発明の開示】
【発明が解決しようとする課題】
【０００９】  人間は二度死ぬと言われる。肉体が死んだ時と、皆に忘れ去られた時の二度人間は死ぬと言うわけである。しかし私は、人間は三度死ぬと考えている。肉体の死の時と、髪の毛等の遺物の遺伝子が死ぬ時と、皆に忘れ去られた時の三度である。よって、より長生きするためには、遺伝子を長生きさせ、子孫に、いつまでも忘れ去られないようにすればよいことになり、そのことを解決しようとするのが本発明の課題である。
【課題を解決するための手段】
【００１０】  本発明は、上記課題を解決するために、人形を用いることにしたものである。人形ならば、死者に似せて作ることができるし、人形を作る時の人形作り用の材料と遺物、例えば、髪の毛とか爪とか骨とか灰とかを用いて人形を作り、御霊屋のような所に入れておけば、遺伝子を長生きさせることができるし、子孫の方々も気軽に入れるので、子孫の方々に長く忘れずに居てもらえるはずですし。【００１１】  遺伝子については、今のやり方では、皆焼かれてしまい、生き残らせようとする考えすらないのですから、本発明のやり方の方が、はるかに、遺伝子に優しく、その分遺伝子が長生きになるのは間違いないと言えるからである。
【発明の効果】
【００１２】  このように、本発明の人形をつくり保存すれば、遺伝子の死を伸ばすことができるだけでなく、御霊屋のようなものを作り、そこで保存し、定期的に、拝ませるようにでもすれば、より長く、子孫に記憶してもらえて、その分長生きできるし、夫婦の関係でも、お墓の中でまで、抱き合っていたいなら、それを実現させることもできると言う、すごい効果が本発明には存在するわけである。
【産業上の利用可能性】
【００１３】  本発明は、以上説明の如きものなので、お墓作りの産業や、そっくりさん人形作りの産業で利用可能なものである。
(57)【要約】【課題】  貯金缶とセットにして使用する事により、貯金するコインを確実にカウントしてゆき、その数を累積総数で表示するプッシュ式コインカウンターを提供する。【解決手段】  数取り器を本体に、コインが通り抜け出れるよう空洞の溝を設けたケースカバーに、数取り器のカウントレバーの先端を溝に突き出るようにし、溝内にコインを挿入させることで、コイン自体がカウントレバーを押圧し、その連動がドラム数字盤を回転させ数を刻み、挿入した全てのコインを累積総数で表示することを特徴とするプッシュ式コインカウンター【選択図】図１
2008136819.tif 000002
【特許請求の範囲】
【請求項１】
数取り器を本体に、コインが通り抜け出れるよう空洞の溝を設けたケースカバーに、数取り器のカウントレバーの先端を溝に突き出るようにし、溝にコインを挿入させる事で、コイン自体がカウントレバーを押圧、その連動がドラム数字盤を回転させ数を刻み、挿入した全てのコインを累積総数にして表示することを特徴とする、プッシュ式コインカウンター。
【請求項２】
ケースカバー内部に発光ダイオード、電子基板、ボタン電池を配置し設け、カウントレバー部分にスイッチを配置させてなる請求項１のプッシュ式コインカウンター。
【発明の詳細な説明】
【技術分野】
【０００１】本発明は、貯金缶とセットにして使用する事により、貯金するコインを確実にカウントしてゆき、その数を累積総数で表示するプッシュ式コインカウンターに、関するものである。
【背景技術】
【０００２】従来、貯金缶自体は貯蓄だけで集計機能は無い。また、上円筒形状のコイン積層のコインカウンター及びコインカウンターセットがあった（特許文献１参照）。
【特許文献１】実用新案登録第３１１２８９３号広報
【発明の開示】
【発明が解決しようとする課題】
【０００３】  それには次のような問題点があった。
（イ）貯蓄途中の数の把握が確認できずにいた。
（ロ）貯蓄後の集計処理を手作業に頼るため、数え間違い、散乱によるコインの紛失がある。また、集計のための時間を要した。
（ハ）コイン積層のカウンターの場合、目視によるため見間違えなどの誤差の発生もあり正確性に欠ける。
本発明は、以上の問題点を解決するためのものである。
【課題を解決するための手段】
【０００４】  数取り器を本体に、コインが通り抜けられるよう空洞の溝を設けたケースカバーに、カウントレバーの先端を溝に突き出るようにし、溝内にコインを挿入させる事で、コイン自体がカウントレバーを押圧、その連動がドラム数字盤を回転させ数を刻み、挿入した全てのコインを累積総数にして表示する。以上を特徴とするプッシュ式コインカウンターである。
【発明の効果】
【０００５】  本発明は、コインの単一貯蓄を行うことで、正確な数と同時に金額が常時明確に把握できるようになり、したがって、目的や計画にあった貯め方ができる。
また、処理集計の手作業が不要となり、数え間違い、コインの散乱や紛失もない。
【発明を実施するための最良の形態】
【０００６】  以下、本発明の実施の形態を説明する。
（イ）数取り器（９）を本体とし、数字表示窓（４）と、コインが通り抜けるための投入口（１）、出口（３）、空洞の溝（２）を設けたケースカバー（５）で数取り器（９）を覆う。
（ロ）数取り器は、カウントレバー（６）から数字盤（７）へと、連動を伝達する歯車（１５）、及びリセットレバー（８）を設ける。
（ハ）カウントレバー（６）の先端を、溝（２）へ、突き出るように、数取り器（９）を、ケースカバー（５）に内蔵し、底面部（１０）をつける。
本発明は、以上の構成よりなっている。
本発明を使用するときは、貯金缶のコイン投入口と本発明のコイン出口（３）とを、重ね合わせ装着する。コインが、本発明の投入口（１）に挿入されると、コイン自体が、内蔵された数取り器（９）から、突き出ているカウントレバー（６）を押圧し、その連動が歯車（１５）を介して回転、ドラム数字盤（７）の数字１コマずつ回転させ数を刻み、挿入した全てのコインを累積総数にして数字表示窓（４）より、表示される。
コインは、そのまま溝（２）にそってコイン出口（３）から出ると、直結された貯金缶入口へ流れ落ち、貯金缶の中へ入っていく。
なお、リセットレバー（８）は、使用済み缶から、新しい貯金缶へ換える際に、ゼロに戻し、再スタートするために用いる。【０００７】  また図４に示すように、ケースカバー（５）内部に、発光ダイオード（１１）電子基板（１２）ボタン電池（１３）を設け、カウントレバー（６）部分にスイッチ（１４）を配置させることもできる。これにより、コイン挿入毎に電源が入り光の点滅がおこり、より視覚に投入意識の確認、また玩具的な面も兼ねている。
【図面の簡単な説明】
【０００８】
【図１】本発明の透視斜視図
【図２】本発明の分解斜視図
【図３】本発明の使用状態を示す斜視図
【図４】本発明の他の実施例を示す透視斜視図
【符号の説明】
【０００９】  １コイン投入口
２溝
３コイン出口
４数字表示窓
５ケースカバー
６カウントレバー
７数字盤
８リセットレバー
９数取り器
１０ケースの底面部
１１発光ダイオード
１２電子基板
１３ボタン電池
１４スイッチ
１５歯車
【図１】
2008136819.tif 000003
【図２】
2008136819.tif 000004
【図３】
2008136819.tif 000005
【図４】
2008136819.tif 000006
(57)【要約】【課題】  ワイシャツ着用時、ノーネクタイの場合に襟元が大きくはだけることを防ぐための前立てを打ち合わせる留め具を提示する。【解決手段】  打ち合わせの前後（打ち合わせる前は左右とも表現できる）をそれぞれ挟む手段とその２つの挟む手段を合わせる手段による。挟む手段と合わせる手段のどちらが一方、または両方に滑り止め加工を施す。弾性材料で形成したコの字型、またはＵ字型の挟む手段を空洞である合わせる手段に通すことで固定するもの。【選択図】図２
2008136818.tif 000002
【特許請求の範囲】
【請求項１】
ワイシャツの前立てを打ち合わせているボタンを補助する留め具であり、打ち合わせの前後（打ち合わせる前は左右とも表現できる）をそれぞれ挟む手段とその２つの挟む手段を合わせる手段によるもの。
【請求項２】
請求項１において、挟む手段と合わせる手段のどちらか一方、または両方に滑り止め加工を施したもの。
【請求項３】
請求項１であって、弾性材料で形成したコの字型、またはＵ字型の挟む手段を空洞である合わせる手段に通すことで固定するもの。
【請求項４】
請求項３であって、奥行が長くならないように、挟む手段を上下方向に組み合わせるもの。
【発明の詳細な説明】
【技術分野】
【０００１】  着衣時に装飾効果と固定機能をもたらす留め具であって、特にワイシャツの前立て部分の打ち合わせを固定する手段に関する。
【背景技術】
【０００２】  『ボタン止め構造』として、シャツから容易に取り外せるボタン列とボタンホールの片側の前立て構造が提示されている。
特開２０００−９３２０８（Ｐ２０００−９３２０８Ａ）【０００３】  『被服及びこれに用いるボタン列並びにボタン止め構造』として、シャツから容易に取り外せるボタン列とボタンホールの両側の前立て構造が提示されている。
特開平１１−３３５９０１【０００４】  『シャツ等のボタン止め構造』として、ボタン孔形成部を独立した小片で構成したシャツ等のボタン止め構造が提示されている。特開平１１−３２３６０１【０００５】  『前合わせシャツ』として、前立てを着脱自在かつ交換可能に取り付けるようにしたことを特徴とする前合わせシャツが提示されている。特開平９−２７９４０１
【特許文献１】  特開２０００−９３２０８（Ｐ２０００−９３２０８Ａ）
【特許文献２】  特開平１１−３３５９０１
【特許文献３】  特開平１１−３２３６０１
【特許文献４】  特開平９−２７９４０１
【発明の開示】
【発明が解決しようとする課題】
【０００６】  ワイシャツ着用時、ノーネクタイの場合に襟元が大きくはだけることを防ぐための前立てを打ち合わせる留め具を提示する。
【課題を解決するための手段】
【０００７】  ワイシャツの前立てを打ち合わせているボタンを補助する留め具であり、打ち合わせの前後（打ち合わせる前は左右とも表現できる）をそれぞれ挟む手段とその２つの挟む手段を合わせる手段による。【０００８】  挟む手段と合わせる手段のどちらか一方、または両方に滑り止め加工を施す。
【発明の効果】
【０００９】  典型的な型のワイシャツにおいて、襟からの第一ボタンと第二ボタンの間にこの留め具を取り付けることで、襟元が締まる。挟む手段の材質、形状、色、模様によっては、ファッション性を備えることができる。２つの挟む手段の形状を同一、または単独の挟む手段形状を対称にすると組み合わせる順序や向きを替えることで、見た目に多様性が期待でき、様々なワイシャツに適用できる。
【発明を実施するための最良の形態】
【００１０】  弾性材料で形成したコの字型、またはＵ字型の挟む手段を空洞である合わせる手段に通すことで固定するもの。【００１１】  奥行が長くならないように、挟む手段を上下方向に組み合わせる。
【図面の簡単な説明】
【００１２】
【図１】  留め具の例（三面図を含む構成図）
【図２】  留め具の例（立体的に表現した構成図）
【図３】  ワイシャツ上の標準的な装着位置。
【符号の説明】
【００１３】  １０挟む手段、１１合わせる手段、１２挟む手段。
２０挟む手段、２１合わせる手段、２２挟む手段、２３打ち合わせを入れる隙間、２４打ち合わせを入れる隙間。
３０留め具。
【図１】
2008136818.tif 000003
【図２】
2008136818.tif 000004
【図３】
2008136818.tif 000005
(57)【要約】      （修正有）【課題】今あまり乳歯を屋根の上縁の下に投げずに、ただまとめて採っておいている。【解決手段】採ってある乳歯を目に見える形として保存を図る。【選択図】図１
2008136832.tif 000002
【特許請求の範囲】
【請求項１】
今まで保存に困っていた抜けた乳歯を既製の歯の無い顎模型に抜けるたびに穴の空いている顎模型に差していく顎模型。
【請求項２】
抜けた乳歯を大人の義歯（入れ歯）を作るような形態と、樹脂（透明・ピンクその他）を使い土台と乳歯を一体化させた顎模型を作る。
【発明の詳細な説明】
【技術分野】
【０００１】  本発明は一般家庭の乳歯の保存を図った顎模型に関する。
【背景技術】
【０００２】  従来乳歯は屋根の上や縁の下に願いを込めて投げられていたが、最近は家庭で処分もできずにケースに保存している話を聞き保存の方法を考えた。
【発明の開示】
【発明が解決しようとする課題】
【０００３】  以上に述べたただケースその他に保存だけ。
【課題を解決するための手段】
【０００４】  本発明はこのような従来の保存から形（顎模型）にして目に見えるものとして乳児の手形・足型のように記念として形として残すものである。
【発明の効果】
【０００５】  上述した本発明の顎模型は、目に見えるように保存して親の歯に対する意識の向上も図れるのではないかと思われます。本発明を乳児から知ることができた親は乳歯時期から模型にできるなら、きれいなもので残したいと思うと思う。
【図面の簡単な説明】
【０００６】
【図１】既製の顎模型に差し入れるタイプ
【図２】乳歯を埋め込み完全に顎模型にしたタイプ
【図１】
2008136832.tif 000003
【図２】
2008136832.tif 000004
【手続補正書】
【提出日】平成19年4月6日(2007.4.6)
【手続補正１】
【補正対象書類名】特許請求の範囲
【補正対象項目名】請求項１
【補正方法】変更
【補正の内容】
【請求項１】
今まで保存に困っていた抜けた乳歯を既製の歯の無い顎模型に抜けるたび又は既に抜けて保存してある乳歯を穴の空いている顎模型に差し入れる顎模型
素材は樹脂（エポキシ・レジン・その他）硝子（クリスタルも含む）
(57)【要約】      （修正有）【課題】カップ麺の、麺及び小さな具、箸では食べ残しが多くなる食物や、高齢者、体の不自由な方の食器。【解決手段】スプーン形状の穴杓子に、先端をフォーク状にし、フォークの機能、スープ飲用以外のスプーンの機能、小さな穴杓子のような掬いとり機能を備えた新食器。カップのなかに浮かぶ種々な小さな具も掬い取ることができる。高齢者や体の不自由な方にも利便性のある食器。【選択図】図１
2008136831.tif 000002
【特許請求の範囲】
【請求項１】
フォーク、スプーン、穴杓子の掬いとり機能を備えた食器。
【発明の詳細な説明】
【技術分野】
【０００１】  本発明は、主として、カップ麺等を食するのに寄与することを提供する。
【背景技術】
【０００２】  大量に食されているカップ麺には、それぞれの生産者が発案、研究の成果が詰まっているものの、小さな具、ちぎれた麺は、箸では食べづらく、ほとんどが食されていない。
【発明の開示】
【発明が解決しようとする課題】
【０００３】  従来のフォークの機能、スープ飲用以外のスプーンの機能、穴杓子の掬いとり機能を兼ねた新食器で上記を解決しようとするもの。
【課題を解決するための手段】
【０００４】  代表図のように、スプーン形状の穴杓子に、先端をフォーク状にした新食器、使用範囲は多岐にわたる。
【発明の効果】
【０００５】  数多い種類のカップ麺をはじめ、カップ製品を食するとき、箸では食べづらく、食べ残し廃棄されてたのを解決するため。又、高齢者、体の不自由な方の食器として手助けになることを期す。
【発明の実施するための最良の形態】
【０００６】  代表図ように、スプーン形状の穴杓子に、先端をフォーク状にしたもの、大きさ、形状は種々。
【図面の簡単な説明】
【０００７】
【図１】  代表図
【図１】
2008136831.tif 000003
(57)【要約】      （修正有）【課題】屋外で蚊取り線香を使用するとき、雨が降っても蚊取り線香及び、蚊取り線香ケースが消えないための蚊取り線香ケースカバーを提供する。【解決手段】ベース板と、該ベース板に連結されるとともに、ベース板を覆うことができる、少なくとも１つ以上の開口部を有するカバーにより構成され、前記ベース板は少なくとも蚊取り線香を載置できる大きさで、かつ、水はけ手段を有することを特徴とする蚊取り線香ケースカバー。【選択図】図７
2008247880.tif 000002
【特許請求の範囲】
【請求項１】
ベース板と、該ベース板に連結されるとともに、ベース板を覆うことができる、少なくとも１つ以上の開口部を有するカバーにより構成され、前記ベース板は少なくとも蚊取り線香を載置できる大きさで、かつ、水はけ手段を有することを特徴とする蚊取り線香ケースカバー。
【請求項２】
ベース板底面に足部を設けたことを特徴とする請求項１記載の蚊取り線香ケースカバー。
【発明の詳細な説明】
【技術分野】
【０００１】  本発明は、屋外で蚊取り線香を使用するときの雨避け蚊取線香カバーに関するものである。
【技術背景】
【０００２】  従来、屋外で蚊取り線香を使用するときは、市販の蚊取り線香ケースに蚊取り線香を入れて利用していた。
【発明の開示】
【０００３】  そのために次のような問題点があった。
（イ）雨が降ると蚊取り線香ケースの穴から雨が入り、線香が濡れて火が消えてしまっていた。
（ロ）途中で火の消えた線香は、湿気で再度使用ができなくなっていた。
（ハ）屋外で犬を買っている場合、夏はフィラリア病予防のため、蚊取り線香を焚くが、雨が降ると消えてしまっていた。
（ニ）雨で直接線香が濡れなくても、線香ケースに水がたまり、線香が消えてしまった。
本発明は、以上の問題点を解決するためになされたものである。
【課題を解決するための手段】
【０００４】  ベース板と、該ベース板に連結されるとともに、ベース板を覆うことができる、少なくとも１つ以上の開口部を有するカバーにより構成される。前記ベース板は少なくとも蚊取り線香を載置できる大きさで、かつ、水はけ手段を有することを特徴とする蚊取り線香ケースカバーである。
【発明の効果】
【０００５】  本発明は、カバーを有しているので、蚊取り線香ケースを雨に濡らすことなく、最後まで使用できる。
また、雨が降っても、ベース板に水はけ手段を設けてあるので、カバーの開口部から雨が降っても水がたまらないため、蚊取り線香を濡らすことがないので、屋外作業も安心してでき、屋外犬のフィラリア病予防になる。
【発明を実施するための最良の形態】
【０００６】  以下、本発明の実施の形態を説明する。
（イ）金網状のベース板（２）は市販の蚊取り線香ケースより少なくとも倍以上の大きさで、材質はステンレス、樹脂等の錆びづらい材質が望ましい。なお、樹脂を使用する場合は、高温に耐えることができる樹脂が望ましい。なお、ベース板（２）は、金網状のものではなく、水はけ孔を有する板でもよい。
（ロ）前記ベース板（２）を覆うことができる中空の雨避けカバー（１）で、側面に少なくとも１つの開口部（３）を有している。開口部（３）は蚊取り線香の煙を効率よく拡散するため、３〜６ヶ所程度有していることが望ましい。
カバーの形状は雨が降っても天面に雨がたまらないように、天面がフラットでも問題はないが、ドーム型に形成することが望ましい。
（ハ）前記ベース板と、カバーは連結部（４）を介して連結されており、連結部（４）の軸を支点にして回動する。
（ニ）連結部（４）のほぼ対向する位置には、カバー（１）を閉じた状態に保つためのカバー固定具（５）を設けていることが望ましい。
カバー固定具は図１に示すようなクリップ（５）の他、磁石、フック等でもよい。
なお、カバー固定具（５）は、対向する位置だけでなく、２ヶ所ないし３ヶ所程度設けてもよい。
カバー固定具は、紛失を防ぐため、ベース板（２）またはカバー（１）に連結されていることが望ましい。
（ホ）ベース板（２）底面には、ベース板と地面が直接接することを防ぐことができる足部（８）を設けることが望ましい。足部（８）を設けることにより、地面に水がたまっても、水はけ孔等から内部に水が浸入することを防止することができる。足部（８）はベース板（２）をほぼ水平に保てるように、複数個設けることが望ましい。
なお、図５に示すベース板の周囲を足部で囲んでも問題ない。
（ヘ）カバーの天面ほぼ中央部には、取っ手（７）を設けることが望ましい。なお取っ手（７）の形状は図１に示すように犬の鎖が引っかからないように流線型のものが望ましい。
本発明は、以上より構成されていて、これを使用するときは、固定具（５）をはずし、取っ手（７）を持って雨避けカバーを上げ、ベース板（２）の中に市販の蚊取り線香ケース（９）を入れ、カバー（１）を固定具（５）でとめる。
【図面の簡単な説明】
【０００７】
【図１】本発明の使い方を示す斜視図
【図２】本発明の使用状態を示す斜視図
【図３】本発明の断面図
【図４】本発明の平面図
【図５】本発明の下方平面図
【図６】ベース板の周囲を足部で囲んだ例図
【図７】カバーの他の形状例図
【図８】カバーの他の形状例図
【符号の説明】
【０００８】１  雨避けカバー
２  ベース板
３  開口部
４  連結部
５  固定具
６  鎖
７  取っ手
８  足部
９  市販の蚊取り線香ケース
【図１】
2008247880.tif 000003
【図２】
2008247880.tif 000004
【図３】
2008247880.tif 000005
【図４】
2008247880.tif 000006
【図５】
2008247880.tif 000007
【図６】
2008247880.tif 000008
【図７】
2008247880.tif 000009
【図８】
2008247880.tif 000010
(57)【要約】【課題】他のことをしながら、筆記用具を使用する場合、作業を中断し筆記用具を目で探したり、持ったり、置いたりしていた。このことを解消するため小型筆記用具付指輪を提供する。【解決手段】小型筆記用具を指輪に付け、使用時に親指で筆記用具を回転させ、通常の持ち方に近い状態にして使用することにより、等簡単な記入が他のことを妨げずにできる。【選択図】図２
2008247017.tif 000002
【特許請求の範囲】
【請求項１】
小型筆記用具を指輪上部に付け必要時に回転させる事により、パソコン入力時のチェック等が筆記用具を目で探したり持ったりしなくても、スムーズにできる。読書の時等も、本から目を離し筆記用具を探すことなくラインが容易に引けたりメモ等ができる。
【発明の詳細な説明】
【発明の詳細な説明】
【技術分野】
【０００１】本発明は、小型筆記用具を指輪上部に付けて必要時に小型筆記用具を回転させ通常に近い筆記用具の持ち方とする事により簡単なチェック、ライン等の記入ができる。この事により、パソコン入力、読書等がスムーズに行えるようにしたものである。
【背景技術】
【０００２】従来は筆記用具を指輪に付けるものは、なかった。
【発明が解決しようとする課題】
【０００３】パソコン入力、読書等、集中している場合に視線をはずし、筆記用具を目で探し、手に持ち、また置き場所に視線をやる。という動作をなくすためである。
【課題を解決するための手段】
【０００４】小型筆記用具を指輪に付ける。指輪全体を柔軟な材質とし、小型筆記用具を親指で回転させて使用する。
【発明を実施するための最良の形態】
【０００５】以下、本発明の実施の形態について説明する。
（イ）．指に筆記用具と接続するための柔軟な材質の指輪をはめる。
（ロ）．指の長さの４分の３から３分の２位の長さ位の筆記用具を、書ける方を指先の方に向け指の上についた輪の中へ入れる。
（ハ）．記入したい場合は筆記用具を親指で回転させ、通常の持ち方に近い形で使用する。
【発明の効果】
【０００６】小型筆記用具を指輪に付けることにより筆記用具を探すことがなくなった。また手に持つことなく筆記用具を回転させることにより簡単な記入ができる。そして筆記用具の置き場所に視線をやらなくてもよい。集中を妨げられることなく作業や読書等ができる。
【図面の簡単な説明】
【図１】  本発明の小型筆記用具を指に付けている図である。
【図２】  本発明の小型筆記用具使用時の図である。
【符号の説明】
１小型筆記用具
２接続部（柔軟で回転できるもの）
３輪（指用）
４輪（筆記用具用）
５中指
６親指
７人差し指
【図１】
2008247017.tif 000003
【図２】
2008247017.tif 000004